(57)【特許請求の範囲】
【請求項１】
加圧されたメタンリッチのガス流を液化するための方法であって、
（ａ）1,724kPa（250psia）〜5516kPa（800psia）の範囲の圧力のメタンリッチのガス流を導入して少なくとも１つの冷凍ステージを有する第１の冷凍サイクルにおいて熱交換接触させることにより、前記ガス流の温度を第１の冷媒の第１の部分との熱交換により低下させ冷却ガス流を製造し、
（ｂ）冷却したガス流を導入して少なくとも１つの冷凍ステージを有する第２の冷凍サイクルにおいて熱交換接触させることにより、第２の冷媒との熱交換により前記冷却ガス流の温度をさらに低下させメタンリッチな液化流体を製造し、ここで、前記第２の冷媒は、前記第１の冷媒よりも低い沸点を有し、前記第１の冷媒の第２の部分との熱交換により前記第２の冷媒は、部分的に冷却され、かつ凝縮されて−112℃（−170°F）以上の温度及び前記液化流をバブルポイント以下とするに充分な圧力で液体製造物を製造しており、
（ｃ）前記液化流を貯蔵手段に導入して−112℃（−170°F）以上の温度で貯蔵することを含む上記方法。
【請求項２】
さらに、−112℃（−170°F）の温度及び液体製造物をバブルポイント以下とするに充分な圧力を有する液化天然ガスの蒸発により発生した蒸発ガスを工程（ａ）に導入し、前記蒸発ガスを少なくとも部分的に液化する請求項１に記載の方法。
【請求項３】
前記蒸発ガスを第１の流れと、第２の流れとに分離し、前記第１の流れを圧縮し、圧縮された前記第１の流れを少なくとも前記第２の冷凍サイクルによる最後の冷却ステージの前に導入し、前記第２の流れを、熱交換器に通じて前記蒸発ガスの前記第２の流れを加熱すると共に、前記天然ガス流を冷却させ、前記蒸発ガスの加熱された第２の流れを燃料として用いる請求項２に記載の方法。
【請求項４】
前記蒸発ガスの前記第１の流れを、前記第２の冷凍サイクルの最後のステージの手前において前記ガス流へと導入する請求項３に記載の方法。
【請求項５】
さらに、前記蒸発ガスを第１の流れと、第２の流れとに分離し、前記第１の流れを圧縮し、圧縮された前記第１の流れを熱交換器へと通じ、前記第２の流れを前記熱交換器に通じて前記第２の流れを加熱すると共に、圧縮された前記第１の流れを冷却し、圧縮・冷却された前記第１の流れを前記第２の冷凍サイクルの最後のステージの手前でガスの流れに導入する請求項１に記載の方法。
【請求項６】
前記ガス流は、メタン及びメタンよりも高比重の炭化水素成分を含有しており、さらに高比重の前記炭化水素の主要部を除去してメタンリッチの蒸気流及び高比重の炭化水素リッチの液体流を製造し、前記蒸気流を工程（a）に導入するガス流として用いる請求項１の方法。
【請求項７】
高比重の前記炭化水素リッチの前記液体流をさらに分留してエタンリッチの蒸気を製造し、該蒸気をメタンリッチの流れに混合する請求項６に記載の方法。
【請求項８】
前記ガス流の液化は、カスケード式配置とされた２個の閉じた冷凍サイクルを用いて行われることを特徴とする請求項１に記載の方法。
【請求項９】
前記ガス流は、メタン及びメタンよりも高比重の炭化水素を含有し、さらに、ステップ（ａ）の後に高比重の前記炭化水素の主要部を除去して、炭素原子数が３以上の炭化水素を実質的に含まないガス流を製造するステップを有し、前記蒸気流を圧縮し、前記ガス流を少なくとも１つの冷凍ステージにおいて前記第１の冷凍サイクルの前記冷媒の第３の部分により再度冷却する請求項１に記載の方法。
【請求項１０】
加圧されたメタンリッチの前記ガス流が、3,103kPa（450psia）の圧力とされる請求項１に記載の方法。
【請求項１１】
天然ガス流を液化するための方法であって、
（ａ）２つのサイクルを有するカスケード式の冷凍システムの第１の冷凍サイクル手段により１つ以上の熱交換器を用いて、1,724kPa（250psia）〜5516kPa（800psia）の範囲の圧力の天然ガス流を冷却し、
（ｂ）冷却された前記天然ガス流を相セパレータへと通じて第１の蒸気流と液体流を製造し、
（ｃ）液化された前記天然ガス流を脱メタン装置に通じて第２の蒸気流と第２の液体流とを製造し、
（ｄ）前記第２の液体流を分留プラントに通じて凝縮製造物と、その場で作った冷媒と、第３の蒸気流とを製造し、
（ｅ）前記第１の蒸気流と、前記第２の蒸気流と、前記第３の蒸気流とを混合し、該混合された蒸気流を前記カスケード式冷凍システムの第２の冷凍サイクルにより冷却された１つ以上の熱交換器へと通じて、前記混合された蒸気流の少なくとも一部を液化させ、
（ｆ）ステップ（ｅ）の前記混合された蒸気流を膨張手段に通じて、−112℃（−170°F）の温度及び液化製造物をバブルポイント以下とするに充分な圧力の液化天然ガスを製造することを含む上記方法。
【発明の詳細な説明】
発明の分野
本発明は、天然ガス液化方法に関し、より詳細には、高圧液化天然ガス（PLNG）の製造方法に関する。
発明の背景
燃焼の清浄性及びその利便性の点から、天然ガスは、近年広く用いられている。天然ガスの供給源の多くは、遠隔地にあり、ガスのどのような商業的マーケットからも著しく離れている。ある場合には、パイプラインを商業的マーケットへと生産された天然ガスを輸送するために用いることができる。パイプラインによる輸送が好ましくない場合には、生産された天然ガスは、マーケットへの輸送のため、多くの場合液化天然ガス（”LNG”といわれる）とされる。
LNGプラントに特有の１つの特徴は、プラントのために必要とされる多大な資本投資にある。天然ガスを液化させるために用いられる装置は、概ね非常に高価である。液化プラントは、いくつかの基本的なシステムから構築されており、不純物を取り除くためのガス処理部と、液化部と、パワー設備と、貯蔵及び出荷積載設備とを含んでいる。LNGプラントのコストは、プラントの位置に広く依存し、典型的な従来のLNGプロジェクトにおいては、野外開発費用も含んで５億米ドルから１０億米ドルの費用を要する。プラントの冷凍システムは、上述した費用のうちの３０％を占める。
LNGプラントの設計においては、（１）液化サイクルの選択、（２）容器、配管、その他の装置に用いられる材料、（３）天然ガスとして供給される流れをLNGへと変換するための方法における工程が、最も重要な考慮点である。
LNG冷凍システムは、天然ガスの液化が強大な冷凍を必要とするので、高価なものとなっている。典型的な天然ガスの流れは、LNGプラントへと約4,830kPa（700psia）〜約7,600kPa（1,100psia）の圧力、及び約20℃（68°F）〜約40℃（104°F）で流入する。天然ガスは、主としてメタンからなり、エネルギー目的において用いられる高比重の炭化水素の場合のように圧力を増加させるだけで液化させることはできない。メタンの臨界温度は、−82.5℃（−116.5°F）である。これは、メタンが加えられている圧力に拘わらず、この温度以下としたときにのみ液化できることを意味する。天然ガスは、ガス混合物なので、広い温度範囲にわたって液化する。天然ガスの臨界温度は、約−85℃（−121°F）〜−62℃（−80°F）の間にある。典型的には、大気圧下にある天然ガスの成分は、約−165℃（−265°F）〜−155℃（−247°F）の間の範囲の温度で液化する。冷凍装置は、LNGプラント設備費用の上述したような著しい部分を占めるので、冷凍コストを低減させるため多くの労力が投じられてきた。
多くの冷凍サイクルが天然ガスを液化させるために用いられてきており、今日におけるLNGプラントにおいて最も普通に用いられる３つのタイプとしては、（１）ガスを高圧から低圧へと膨張させて温度を低下させる“膨張サイクル”、（２）特別に設計した熱交換器内において多成分冷媒を用いる“多成分冷凍サイクル”、（３）順次配列された熱交換器内において多数の一成分冷媒を用いて、ガスを液化温度にまで温度低下させる“カスケードサイクル”を挙げることができる。ほとんどの天然ガス液化サイクルは、上述した３種類を基本として、それらの変形又は組合せを用いている。
カスケードシステムは、概ね２つ以上の冷凍ループを用いるものであり、１つのステージからの膨張した冷媒を、次のステージにおいて圧縮された冷媒を凝縮させるたもに用いる。このような連続的なステージにより、より低密度で、より揮発性の冷媒を用い、膨張された場合により低い冷凍レベルを与え、したがってより低温へと冷却することが可能とされている。コンプレッサにより要求されるパワーを低減させるために、各冷凍サイクルは、典型的にはいくつかの加圧ステージへと分割されている（通常では、３又は４ステージである）。複数の加圧ステージは、いくつかの温度ステップへと冷凍させるための仕事量を分割する効果を有している。プロパン、エタン、エチレン、メタンは、共に冷媒として用いることができる。プロパンは、空気冷却器又は水冷冷却器により比較的低圧で凝縮できるので、プロパンは通常第１ステージの冷媒として用いられる。エタン又はエチレンは、第２ステージの冷媒として用いられる。エタンコンプレッサから排出されるエタンの凝縮には、低温冷媒が必要となる。プロパンは、この際の低温冷媒機能を提供する。同様に、メタンを最終ステージの冷媒として用いる場合には、エタンは、メタンコンプレッサから排出されるメタンを凝縮させるために用いることができる。プロパン冷凍システムは、したがって供給ガスを冷却するために用いられると共に、エタン冷媒を凝縮させるために用いられ、エタンは、さらに供給ガスを冷却すると共に、メタン冷媒を凝縮させるために用いられる。
従来のLNGプラントに用いられる材料はまた、プラント費用に影響する。LNGプラントに用いられる容器、配管及び他の装置は典型的には、少なくとも部分的にはアルミニウム、ステンレススチール、又はニッケル含有量の高いスチールから構築されて、低温における必要な強度及び亀裂耐久性が与えられている。
従来のLNGプラントにおいては、水、二酸化炭素、硫化水素及び他の酸性ガスといった含イオウ化合物、ｎ−ペンタン及びベンゼンを含む高比重炭化水素は、天然ガスの処理においてはｐｐｍレベルにまで実質的に除去する必要がある。上述した化合物のうちのいくつかは、凍結されて処理装置内における閉塞の問題を生じさせる。イオウ含有化合物といった他の化合物は、典型的には販売規格に必要とされるまで除去される。従来のLNGプラントにおいては、ガス処理装置は、二酸化炭素及び酸性ガスを除去するために必要となる。ガス処理装置は、典型的には化学及び／又は物理的な溶媒再生方法を利用するものであり、著しい資本投資を必要とする。また、その運転コストも高い。モレキュラーシーブといった乾燥床脱水装置は、水蒸気を除去するために必要とされる。スクラッブカラム及び分留装置は、典型的には閉塞の問題を生じさせがちな炭化水素を除去するために用いられる。水銀は、またアルミニウムで構築された装置に損傷を与えるため、通常のLNGプラントにおいては除去される。これに加えて、天然ガス中に存在する可能性のある窒素は、従来のLNGの輸送中に液相としておくことができず、供給中にLNG容器内に窒素ガスを残しておくことは望ましくないので除去される。
冷凍装置の数を最低化させると共に、方法に必要とされるホースパワーを最低化させる天然ガスの液化方法を改善することが工業的に必要とされている。
要約
本発明は、概ねメタンリッチの約3,100kPa（450psia）以上の初期圧力を有するガス流を液化するための方法に関する。天然ガスを凝縮させるための主要な冷却は、２サイクルのみを含むカスケード式冷凍サイクルにより行われる。天然ガスは、その後適切な圧力膨張手段により圧力膨張されて、約−112℃（−170°F）以上の温度、及び液化製造物をそのバブルポイント以下とするために充分な圧力でメタンリッチ液体製造物を製造する。
本発明の方法はまた、加圧された液化天然ガスから揮発した蒸気を凝縮させる。天然ガスがメタンよりも高比重の炭化水素を含有している場合には、より高比重の炭化水素を除去することが望ましく、このため分留方法が方法に加えられることになる。
本発明の方法は、貯蔵及び輸送のための供給源における天然ガスの初期液化、及び貯蔵及び出荷積載作業の間に生じた天然ガス蒸気の再液化の双方に用いることが可能である。したがって、本発明の目的は、液化のため、又は天然ガス再液化のための改善された液化システムを提供することを目的とする。本発明の別の目的は、従来のシステムよりも圧縮のために必要とされるパワーを実質的に低減する改善された液化システムを提供することを目的とする。本発明のさらに他の目的は、経済的かつ効率的に運転できる改善された液化方法を提供することを目的とする。従来のLNG冷凍方法の極低温は、本発明を実施することによるPLNGの製造に必要とされる比較的マイルドな冷凍に比較してきわめて高価なものとなる。
【図面の簡単な説明】
本発明及びその効果については、後述する詳細な説明及び本発明の態様を代表する概略フロー図である添付図面を参照することにより、より良く理解されよう。
図１は、本発明の第１の態様の概略フロー図であり、PLNGを製造するための２サイクルカスケード式冷凍システムが示されている。
図２は、本発明の第２の態様を示した図であり、蒸発したガスを凝縮させ、高比重の炭化水素を除去するための方法が示されている。
図３は、本発明の第３の態様の概略フロー図である。
図に示したフロー図は、本発明を実施する際の種々の態様を示す。図は、他の態様を本発明の範囲から排除することを意図するものではなく、上述した特定の態様の期待される通常例及び変更例を示すことを意図するものである。ポンプ、バルブ、フローストリーム混合物、制御システム、及びセンサといった必要とされるサブシステムについては、説明の簡略化及び明瞭化の目的から図示していない。
好適な態様の説明
本発明は、天然ガスを液化させて、約−112℃（−170°F）以上の温度及び液体製造物をそのバブルポイント以下とするために充分な圧力を有するメタンリッチ液体製造物を製造するカスケード式冷凍システムを用いるものである。このメタンリッチ製造物は、本明細書中においては、加圧液化天然ガス（PLNG）として参照される。用語、“バブルポイント”とは、液体が気体へと変換され始める温度及び圧力のことを言う。例えば、PLNGの所定の体積が一定圧に維持されるが、その温度が上昇する場合には、PLNGにおけるガスのバブルが発生する温度がバブルポイントである。同様に、PLNGの所定の体積が一定温度に保たれているが、圧力が低下する場合には、ガスを発生させ始める圧力がバブルポイントである。このバブルポイントにおいては、混合物は、飽和液体となる。
本発明のカスケード型冷凍システムを用いれば、従来用いられてきたカスケード式冷凍方法よりも液化天然ガスの液化のためより少ないパワーしか必要とされず、かつ本発明の方法に用いられる装置は、より安価な材料から製造できる。これとは対照的に、従来の方法によれば、大気圧で−160℃（−256°F）の温度で製造されるLNGは、安全な稼働のためには方法の少なくとも一部分において高価な材料から製造された装置を必要とする。
本発明の方法を実施する際に天然ガスを液化するために必要なエネルギーは、従来のLNGプラントのエネルギー消費に比較して著しく低減できる。本発明において必要とされる冷凍エネルギーの減少は、投資費用を著しく低下させ、これに比例して運転費用の低減を可能とし、効率及び信頼性を向上させ、このため液化天然ガスの製造の経済性を大きく向上させることが可能となる。
本発明の運転圧力及び温度では、約３．５重量％のニッケルスチールを配管及び液化方法の最も冷却された運転領域における設備に用いることができるが、従来のLNG方法の同様の装置においては、より高価な９重量％のニッケル又はアルミニウムがほぼ必要とされることになる。これは、従来のLNG方法に比較して本発明における著しいコスト低減を可能とする。
天然ガスの低温プロセッシングについてまず考慮しなければならないことは、コンタミネーションである。本発明の方法のために好適な供給備蓄粗天然ガスとしては、原油井戸から得られる天然ガス（随伴ガス）、又はガス井戸（非随伴ガス）を挙げることができる。天然ガスの組成は、著しく変化しうる。本発明において用いるように、天然ガス流は、主成分としてメタン（Ｃ1）を含有する。天然ガスは、典型的にはまた、エタン（Ｃ2）、より高比重の炭化水素（Ｃ3+）、及び水、二酸化炭素、硫化水素、窒素、ブタン、炭素原子数が６以上の炭化水素、塵埃、硫化鉄、ワックス、原油といった微量の汚染物を含有している。これらの汚染物の溶解性は、温度、圧力、組成により変化する。低温では、ＣＯ2、水、及び他の汚染物は固体となり、これらが低温熱交換器内における流路の閉塞を生じさせる。これら発生する可能性のある問題は、それらの純粋な成分として固相の温度−圧力相境界となる条件の場合には、上述の汚染物を除去することによって回避することができる。本発明の後述する説明では、天然ガス流は、従来良く知られた方法により好適に処理され、硫化物及び二酸化炭素が除去されて、乾燥により水が除去され、“スイート、ドライ”天然ガス流とされているものとする。天然ガス流が液化中に凍結してしまう高比重の炭化水素を含有している場合、すなわちPLNG中に高比重の炭化水素が望ましくない場合には、高比重の炭化水素は、より詳細に後述するようにPLNGの製造に先立って分留方法により除去することも可能である。
本発明の１つの効果は、より高い運転温度にあり、従来のLNG方法において可能であったよりも天然ガスがより高い濃度レベルの凍結可能成分を含有する天然ガスを用いることを可能とすることにある。例えば、−160℃（−256°F）で製造する従来のLNGプラントでは、ＣＯ2は、凍結の問題を避けるために約50ppm以下とする必要がある。これとは対照的に、方法温度を約−112℃（−170°F）以上に保つことにより、本発明の方法において凍結の問題を生じさせずに、天然ガスが−112℃（−170°F）の温度において約1.4モル％程度、−95℃（−139°F）においては、約4.2％の高いＣＯ2レベルを含むことを可能とする。
これに加えて、天然ガス中の適度な量の窒素は、本発明の操作圧力及び温度においては液化された炭化水素と共に液相中に残留するので除去する必要がない。このように低減させる能力又はある場合には除外を可能とする能力により、ガス処理及び窒素除去に必要な装置の排除は、天然ガスの組成が許容する場合には著しい技術的及び経済的効果をもたらす。本発明の上述した効果及び他の効果については、図面を参照することにより、より理解されよう。
図１を参照すると、加圧されて供給される天然ガス流１０は、約1,724kPa（250psia）以上の圧力、より好ましくは約4,830kPa（700psia）以上の圧力、及び約40℃（104°F）以下の温度において液化方法へと導入されることが好ましい。しかしながら、所望により異なった圧力及び温度であっても用いることが可能である。システムは、本発明の教示を考慮して当業者であれば適切に変更しうるものである。ガス流１０が約1,724kPa（250psia）以下である場合には、好適な加圧手段（図示せず）により加圧することができ、この加圧手段は、１つ以上のコンプレッサにより構成することができる。
供給される流れ１０は、第１の冷凍サイクル３２により冷却されている連なった熱交換器、好ましくは２つの熱交換器３０，３１を通過する。冷凍サイクル３２は、供給される流れ１０を熱交換器３０，３１内で冷却すると共に、液化方法において下流側に設けられた第２の冷凍サイクル３３における冷媒を冷却する。冷凍サイクル３３は、図１に示されるようにさらに天然ガスを連なった熱交換器、好ましくは３つの熱交換器３７，３８，３９により冷却する。冷凍サイクル３２及び３３の設計及び運転は、当業者により知られているようにして行うことができ、それらの運転の詳細は、従来技術と同様にして行われる。第１の冷凍サイクル３２の冷媒は、好ましくはプロパンとされ、第２の冷凍サイクル３３における冷媒は、好ましくはエチレンとされる。カスケード式冷凍システムの例としては、米国特許第3,596,472号；ペトローリウムイクステンションサービス（Petroleum Extension Service）により発行されたプラントプロセッシングオブナチュラルガス（Plant Processing of Natural Gas）、テキサス大学、オースチン、TX、（1974）；ハーパー．Ｅ．Ａ（Harper, E. A.）等、トラブルフリーLNG（Trouble Free LNG）、ケミカルエンジニアリングプログレス（Chemical Engineering Progress）、第７１巻、第１１号、１９７５年に開示されている。
最後の熱交換器３９から排出された液化される天然ガス流１９は、本発明を実施することにより、約−112℃（−170°F）の温度及び液化製造物をバブルポイント以下とするに充分な圧力とされている。第２の冷凍サイクルの最終ステージから排出される流れ１０の圧力が、流れ１０を液相に保持させておくに必要な圧力よりも高い場合には、流れ１０を、任意に１つ以上の流体タービン４０といった膨張手段を通過させてより低い圧力を有してはいるが、依然として約−112℃（−170°F）以上で液状製造物をそのバブルポイント以下とするに充分な圧力を有するようにすることもできる。PLNGは、その後好適なパイプライン、又はPLNG船、タンクトラック、又は鉄道といったキャリア等の好適な輸送又は貯蔵手段４１へと送られる（流れ２０）。
図２は、本発明の別の態様を示した図である。この態様及び図１及び図３に示した態様においては、類似の符号を有する部分は、同一の方法機能を有している。しかしながら、当業者によれば、１つの態様及び別の態様のプロセス装置は、サイズや、異なった流速、温度、組成を取扱う能力に応じて変更することができることは理解されよう。図２を参照すると、天然ガス供給の流れは、ライン１０を通してシステムへと流入し、第１の冷凍サイクル３２により冷凍された熱交換器３０，３１を通過する。冷凍サイクル３２は、供給される流れ１０を冷却し、液化方法においてさらに下流側に設けられた第２の冷凍サイクル３３における冷媒を冷却する。
最後の熱交換器３１から排出された後、供給されるガス流１０は、従来の相セパレータ３４へと導入される。液体流１１は、セパレータの底部から排出され、従来の脱メタン装置３５へと通される。この脱メタン装置は、メタンリッチのオーバーヘッド蒸気流１２と、主としてエタン、プロパン、ブタン、ペンタン、より高比重の炭化水素とからなる主として天然ガス液体（NGL）である底部液体流１３とを発生させる。脱メタン装置の底部流１３は、従来の分留プラント３６へと通される。この分留プラントの概略の運転については、当業者に知られているようにして行われる。分留プラント３６は、１つ以上の分留カラム（図２においては図示せず）を備え、分離された底部液体流１３をエタン、プロパン、ブタン、ペンタン、ヘキサンの所定量へと分離させても良い。これらの液体は、分留プラント３６から凝縮製造物として排出され、これが図２においては流れ１４としてまとめて示されている。分留プラント３６からのオーバーヘッド流は、エタン及び他の低密度炭化水素がリッチとなっている。これらのオーバーヘッド流は、図２においては流れ１５としてまとめて示されている。分留プラントは、エタンを製造するための脱エタンカラム、プロパンを製造するための脱プロパンカラム、ブタンを製造するための脱ブタンカラムといった多重の分留カラム（図示せず）から構成されていて、カスケード式冷凍システム（第１及び第２の冷凍サイクル３２，３３）又は別の好適な冷凍システムにおける処方化された冷媒として用いることができるようにされている。冷媒として処方化された流れは、ライン１６として図２においてまとめて示されている。図２においては図示されていないものの、供給される流れ１０が高濃度のＣＯ2を含有している場合には、冷媒として処方化された流れのうちの１つ以上についてＣＯ2を除去して、冷凍装置における閉塞の可能性を回避するために必要となる。供給流中におけるＣＯ2が約３モル％を超える場合には、分留プラント３６は、ＣＯ2除去方法を含んでいることが好ましい。
セパレータ３４からのメタンリッチの流れ１７、脱メタン装置３５からのメタンリッチの流れ１２、分留プラント３６からの流れ１５は、流れ１８として熱交換器の列３７，３８，３９へと通過して行き、天然ガスを液化する。熱交換器３７，３８，３９の冷凍は、上述した第２の冷凍サイクル３３により行われている。第１の冷凍サイクル３２及び第２の冷凍サイクル３３における冷媒は、閉ループシステム内で循環されており、冷媒がシステムからリークにより失われると、処方化された冷媒を分留プラント３６（ライン１６）から得るようにされている。図２に示す液化方法においては、本発明の実施に際してカスケード式システムとして２つのサイクルのみが天然ガス流１０を冷凍するために必要とされている。
最後の熱交換器３９から排出される液化天然ガスの流れ１９は、１つ以上の流体タービン４０といった膨張手段を通過して、約−112℃（−170°F）の温度及び液化製造物をバブルポイント以下とするに充分な圧力のPLNG製造物を製造する。このPLNGは、その後ライン２０により好適な貯蔵手段４１へと送られる。
液化天然ガスの貯蔵、輸送、取扱においては、大量の“蒸発”、すなわち液化天然ガスの蒸発により生じる蒸気が発生する。本発明は、特にPLNGにより発生した蒸発ガスの液化に好適である。本発明のこの方法は、上述した蒸発ガスを任意に再液化することができる。図２を参照すると、蒸発ガスは、本発明の方法へとライン２１を通して導入される。任意に、流れ２１の一部を流れ２２として抜き出して、熱交換器４２を通じて蒸気流１８を冷却させると共に、液化プラントのための燃料として後に用いることができるように、蒸発ガスを加熱することもできる。流れ２１の残りの部分は、従来のコンプレッサ４３を通過して蒸発ガスを略蒸気流１８の圧力となるまで圧縮され、その後流れ１８と混合される。
図３は、本発明の別の実施例を示した図である。図３に示した方法は、図３において流れ１８がコンプレッサ４４を通され、圧縮された蒸気流１８がその後、第１の冷凍サイクル３２の冷媒によって冷却された熱交換器４５，４６を通過することを除き、図２において説明した方法と類似している。
図３に示されるように、蒸発ガスは、任意に流れ１８を第１の冷凍サイクル３２において冷却した後に、流れ１８へと導入されても良く、また、流れ１８が第２の冷凍サイクル３３により冷却される前に流れ１８へと導入することもできる。蒸発ガスの流れ２１の少なくとも一部分は、従来のコンプレッサ４３により圧縮され、圧縮されたガス（流れ２３）は、流れ２１から抜き出された流れ２２により冷却された熱交換器４３により冷却される。熱交換器４２により加熱された後流れ２２は、液化プラント中で燃料として用いることもできる。
図２及び図３は、分留ステージの後、第２の冷凍サイクルの冷却前のポイントにおいて、蒸発ガスを液化方法に導入されるように示されているが、本発明を実施する際には、蒸発ガスは、熱交換器３０の前、熱交換器の後、及び膨張器４０の前というように方法のいかなるポイントにおいても液化されることになるガス流へと導入することが可能である。
本発明は、いかなるタイプの熱交換器にも制限されるものではないが、経済的な観点からは、プレート−フィン熱交換器及びコールドボックス熱交換器が好ましい。熱交換器に送られる液体相及び蒸気相の双方を含むすべての流れは、液体相及び固体相の双方がそれらが流入する断面領域にわたって等しく分布しているようにすることが好ましい。これを達成するために、個々の蒸気流及び液体流に分布アパラーチ（apparati）を設けることが好ましい。セパレータは、流れを液体流及び蒸気流へと分割する必要に応じて、多相フロー流へと加えることができる。このようなセパレータは、図２及び図３に示した方法において熱交換器３８，３９の手前に加えることができる。
実施例
図に示した態様を検討するために、質量及びエネルギーバランスのシミュレーションを行い、それらの結果を下記表に示す。
データは、ＨＹＳＹＳ（登録商標）である市販に利用できる方法シミュレーションプログラムを用いて得た。しかしながら、例えばＨＹＳＩＭ（登録商標）、ＰＲＯＩＩ（登録商標）、ＡＳＰＥＮＰＬＵＳ（登録商標）といった当業者に親しまれている他の市販に利用可能な方法シミュレーションプログラムであっても用いることができる。表１に示したデータは、図１の態様をより良く理解するために示されてものであるが、本発明は、これらに制限されるものではない。温度及び流速は、本発明を制限するものではなく、本発明における教示の点からいえば、温度及び流速は多くの変更例が可能である。この態様においては、第１の冷凍サイクル３２を、プロパンシステムとし、第２の冷凍システム３３は、エチレンシステムとした。
表２のデータは、図２に示した態様をより良く理解するために示したものである。この態様においては、第１の冷凍サイクル３２を、プロパンシステムとし、第２の冷凍サイクル３３は、エタンシステムとした。
図１に示した基本的なプロセス流れスキーム及び同一の供給流組成及び温度を用いると、従来のLNG製造（略大気圧であり、160℃（−256°F））に要求される全要求パワーは、図１に示した態様においてPLNGを製造するために必要とされる全要求パワーの２倍となった：LNGの製造については、177,927kW（238,600hp）であり、PLNGの製造については、75,839kW（101,700hp）であった。この比較は、ＨＹＳＹＳ（登録商標）方法シミュレータを用いて行った。
当業者、特に本発明の教示による利益を受けた当業者は、これまで開示した特定の方法に対して、多くの変更及び変形を認識できるであろう。例えば、温度及び圧力を本発明に従い、システムの全体の設計及び供給ガスの組成に応じて変化させて用いることもできる。また、供給ガスの冷却列を付け加えることも可能であるし、また最適で効率的な熱交換の要求を達成するために全体の設計に対する要求に応じて別の構成とすることも可能である。上述したように、特定の態様及び実施例は、本発明の範囲を制限又は限定するために用いたものではなく、本発明の範囲は、後述する請求の範囲及びその均等物により決定されるべきものである。
0004544652.tif 000002
0004544652.tif 000003
0004544652.tif 000004
0004544652.tif 000005
【図１】
0004544652.tif 000006
【図２】
0004544652.tif 000007
【図３】
0004544652.tif 000008